Podtech/llm-jp-corpus-v4-ja_patent huggingface dataset:
(57)【要約】【課題】本発明は、主に雄犬の排尿のしつけを簡易にし、トイレ環境を清潔に維持する為の、排尿目標とする「棒」状犬用トイレ補助用具である。従来、トイレシートを平面的に置事が多く、特に雄犬は、足を上げて高い位置に排尿する習性上、周辺を清潔に維持する事が困難であった。又、棒状の物があっても、犬の動きに対応するだけの固定力に欠け、犬の成長、大きさに簡単に対応できないなどの問題点があった為、犬の動きに対応でき、犬の成長、大きさ、設置場所に関わらず使用可能な、簡単に洗えるトイレ補助用具を提供する。【手段】トイレとしたい場所に、アーム（２）を固定し、排尿目標とする為の「棒」（１）を通す。「棒」（１）を上下に動かし、使用済みのトイレシートの交換する。「棒」（１）下部には、複数の穴が開いており、自分の臭いを入れる事でトイレ場所を簡単に認識させる事ができ、排泄物を筒状の「棒」（１）の内部へ誘導し周辺への飛散を防ぎ、犬の住環境を清潔に維持する効果を持つ。【選択図】  図１
2005013182.tif 000002
【特許請求の範囲】
【請求項１】
犬の排尿時の目標物となる筒状の「棒」（１）、及「棒」（１）を支えるアーム（２）、アーム（２）を固定する為の付属補助取付け用部品（３）、床壁の汚れを防止する付属補助床壁（４）および、付属補助プレート（５）からなる、犬用トイレ補助用具。
【発明の詳細な説明】
【０００１】
【発明の属する技術分野】
この発明は、主に雄犬のトイレに使用する用具であって、子犬時のトイレのしつけ、成犬の排尿による生活環境を衛生的に維持する為の、トイレ補助用具である。
【０００２】
【従来の技術】
トイレシートを平面的に置く事が多く、棒状の物があっても、犬の動きに対応するだけの固定力に欠け、犬の成長や大きさに簡単に対応できない、トイレを認識させる工夫が無い、などの物であった。
【０００３】
【発明が解決しようとする課題】
犬の飼育に際して、排尿、排便は日常的に関わる事で、次のような問題点があった。
特に雄犬の排尿は、習性上、足を上げて高い所になされる為、壁・床等を汚したり、目標を誤って、床に敷いたトイレ用シートからはみ出したりする事も多く不衛生であった。また、室内小型犬の排尿処理だけでなく、公衆の場所（特に都会）での中・大型犬の排尿は、公衆衛生上の問題も発生する。可能であれば、散歩と切り離し、排便・排尿は各自宅での処理が望ましい事である。  本発明は、以上の問題を解決し、ペットとの生活をより衛生的に維持する為のトイレ補助用具である。
【０００４】
【課題を解決する手段】
犬のトイレとする場所に、高さの調整が可能な「棒」（１）を、アーム（２）で固定させ、排尿目標を作る。アーム（２）の固定場所が無い、周辺の床壁の汚れ防止が必要、等の場合は、付属補助床壁（４）および付属補助プレート（５）を併用する。また、アームの固定場所、固定先の素材によりアームが安定しない場合、付属取付け部品（３）を使い安定させる。
本発明は以上の構成よりなる、犬用トイレ補助用具である。
【０００５】
【発明の実施の形態】
以下、本発明の実施の形態を説明する。
（イ）付属補助床壁（４）、既成のペット用ゲージ、テラスフェンス等に、アーム（２）を固定する。固定場所、材質により必要な場合は、付属補助取付け部品（３）を使う。
（ロ）固定したアーム（２）に、「棒」（１）を通す。「棒」（１）は筒状に形成されており、下部に開いている複数の穴は、中に自分の臭いを入れる事で、初期のトイレのしつけを簡易にし、また排泄物を「棒」（１）の内部へ集める効果で、排泄物を確実に目的の場所に誘導する目的を有する。
（ハ）「棒」（１）を、上下に動かすことで、使用済みのトイレシートを簡単に交換できる。又、犬の動きの影響を受けにくくする為、下が重い構造になっている。
（ニ）アーム（２）の固定場所が無い場合、あるいは、床・壁等への汚れを防止したい場合などは、付属補助床壁（４）を、排尿量の多い場合は、付属補助プレート（５）を「棒」（１）の下に設置する。
本発明は、以上の構成よりなる。
本発明は、アーム（２）の固定場所を自由に変える事が可能な為、犬の成長や、様々な大きさの犬に対応する事ができ、また、「棒」（１）は取り外しが簡単で、すぐに洗う事ができ、清潔な犬の住環境を維持できる。
【０００６】
【発明の効果】
自分の排泄物の臭いを「棒」（１）の先端の空洞部分に入れる事により、犬に簡単にトイレの場所を認識させる事ができ初期のトイレのしつけに有効である。また、トイレ目標を作ることで、より確実に排泄物をトイレシートに誘導し、「棒」（１）の下部にある複数の穴は、排泄物を筒内部に誘導し、周辺への汚れの飛散を軽減させる効果があり清潔な犬の住環境を維持する事ができる。
【図面の簡単な説明】
【図１】本発明の使用時斜視図（１）（２）（４）
【図２】本発明（１）の正面図
【図３】本発明（１）の平面図
【図４】本発明（２）の正面図
【図５】本発明（２）の右側面図
【図６】本発明（２）の平面図
【図７】本発明（３）の斜視図
【図８】本発明（５）の斜視図
【符号の説明】
（１）筒状のおしっこ目標「棒」
（２）アーム
（３）付属補助取付け部品
（４）付属補助床壁
（５）付属補助プレート
【図１】
2005013182.tif 000003
【図２】
2005013182.tif 000004
【図３】
2005013182.tif 000005
【図４】
2005013182.tif 000006
【図５】
2005013182.tif 000007
【図６】
2005013182.tif 000008
【図７】
2005013182.tif 000009
【図８】
2005013182.tif 000010
(57)【要約】【課題】数種類の植物を組み合わせることにより、それぞれの持つ効用の相乗効果を期待し、血行をスムーズにし、また脂肪の蓄積を防止すると共に、日常の不快な症状を改善することを目的とする健康茶。【解決手段】ゆでた後、天日干しし、殺菌乾燥をしたかぶの葉、イチョウの葉、桑の葉、柿の葉、同様の工程をへた後粉砕したぎんなん、さらに殺菌乾燥をしたとうがらしを配合し香り付けに玄米茶を加え、煎出又は浸出することによって通常茶として飲用することができる健康茶を提供する。【特許請求の範囲】
【請求項１】
ぎんなん、かぶの若葉、とうがらしを主原料とした健康茶
【請求項２】
請求項１記載の健康茶に、桑の若芽、柿の若芽、イチョウの若芽を加え、飲用しやすくするために玄米茶を加えた健康茶
【請求項３】
煎出、または浸出することによって通常茶として飲用される請求項２の健康茶。
【請求項４】
前記かぶの葉、桑の葉、柿の葉及び、イチョウの葉が、新芽であることを特徴とする請求項１または請求項２記載の健康茶。
【発明の詳細な説明】
【０００１】
【産業上の利用分野】本発明は、主に脂肪燃焼効果、および血行促進作用に功を奏し、健康増進に寄与する健康茶の提供に関するものである。
【０００２】
【従来の技術】従来の健康茶は、乾燥させた植物の葉を単体として用いたものが多く、身体によいものとされてきた。しかし、ぎんなん、かぶの葉、およびとうがらしはそれぞれ優れた医療的、健康的な特性を有しているが、三者を併用してお茶として飲用されている例は見当たらない。
【０００３】
【発明が解決しようとする課題】本発明が解決しようとする点は、数種類の植物を組み合わせることにより、それぞれの持つ効用の相乗効果を期待し、血行をスムーズにし、また脂肪の蓄積を防止すると共に、日常の不快な症状を改善する健康茶を提供するものである。
【０００４】
【課題を解決するための手段】より多くの成分を抽出するために、かぶの葉、桑の葉、柿の葉、イチョウの葉は、４〜５月の新芽を採取し、茹でた後天日乾燥し、その後オーブンで殺菌乾燥する。ぎんなんは鬼皮、甘皮をとり茹でた後天日乾燥し、その後オーブンで殺菌乾燥する。とうがらしは、オーブンで殺菌乾燥する。柿の葉においては、茹でることによりビタミンＣの成分が引き出される。また、単なる乾燥と違い天日乾燥によりさらに多くの含有成分を抽出できる。
【０００５】桑の葉、柿の葉、イチョウの葉、かぶの葉は裁断せず使用する。ぎんなんは、抽出を早めるため、粉状に粉砕する。とうがらしはきざんで使用するが、辛さの好みによりきざむ度合いを調節してもよい。
【０００６】
【発明の実施の形態】前記の手段で調整した茶を煎出または浸出して使用する。また、包装袋にパックしてもよい。パック袋の大きさは、市販のティーバッグ袋程度であればよい。なお１パック１０ｇが適当である。
【実施例】
2005013187.tif 000002
【０００７】次に本発明の作用について説明する。ぎんなんは、中国でもその生命力の強さから「長寿の食物」として珍重されてきた。肺の働きが強められ保温効果があり、乾燥したものを煎じて飲むと血行が促進され、老化防止効果がある。かぶの葉は、ビタミンＣが含まれ、ビタミンＡ、カルシウム、鉄分なども多い。とうがらしは、カプサイシンを含み食欲を増進し血行をよくし、体を温める効果がある。桑の葉に含まれる特徴的な有効成分には、糖の分解酵素の働きを阻害し、糖質の消化を途中で抑え吸収を防ぐ作用があるといわれており、糖尿病予防に有効である。柿の葉は、ビタミンＣのほかビタミンＫ、ビタミンＰなどの成分が、多量に含まれ、細胞や血管の老化を防ぎ、血圧降下や成人病予防に役立つ。イチョウの葉は、血流を改善し毛細血管まで血液を行き渡らせ、脳内の低酸素状態を防ぎ痴呆症などの予防・医療に効果があるとされている。玄米茶は、香り付けのために配合した。
【０００８】
【発明の効果】以上説明したように、この発明の健康茶は、血行をよくすることで血液中の老廃物や脂肪等を体外に排出する作用が極めて高く、疲労も緩和される。自然に生息する植物のお茶のため、体に安心であり、常飲茶として進められる健康茶である。
(57)【要約】【課題】採取過多の飽和脂肪酸は体内に蓄積され、肥満や高脂血症となり、体内に蓄積しないで体外に排出することができない。そこで、体内の余分な脂肪分だけを体内から排出できれば、ダイエット食品に頼らずに肥満解消と中性脂肪の正常化を図ることができることになる。従来、食品に使用されている植物繊維は油分と水分の吸収を併せて行うので、体内に水分を保ち、脂肪分を除去するには適当でない。【解決手段】植物繊維カポックを粉末にして、パン、クッキー等の洋菓子、ドラ焼き等の和菓子、その他の食品、カポック粉末を固めた錠剤等に加工して植物繊維カポックを採取しやすくしたものである。カポックを食べても、カポックは余分な油分を吸収するが水分を吸収しないため、体内の水分を除去することがなく、体内の水分を保持することができる。【選択図】      図１
2005013186.tif 000002
【特許請求の範囲】
【請求項１】
植物繊維カポックを粉末にし、パン、洋菓子、和菓子、各種食品、錠剤から選択される少なくとも１種の食品に混入して食することにより、体内の余分な油分を除去することを特徴とした植物繊維カポック粉末混入食品。
【発明の詳細な説明】
【０００１】
【発明の属する技術分野】
本発明は、油分の吸収能力の高いカポック繊維を利用して、体内の余分な脂肪分を除去するカポック粉末混入食品に関している。
【０００２】
【従来の技術】
東南アジアの熱帯地方に自生し、栽培もされているパンヤ科の落葉高木カポックの木の種子は綿毛状の繊維でおおわれていて、この繊維がカポックまたはパンヤと呼ばれている。この繊維は極めて軽く、弾力性に富み、カポック繊維１グラムで４０グラム以上の油を吸収できるほど油をよく吸収し、しかも水分を吸収しない特徴がある。
【０００３】
一方、人体にはコレステロール、リン脂質、トリグリセライドといわれる中性脂肪があり、中性脂肪は皮下の脂肪組織や肝臓の細胞に貯えられてエネルギーになる役割を果たしている。しかし、中性脂肪の数値が高い人はコレステロール値も高く、相乗的に動脈硬化が加速される危険があることが判明している。また、コレステロール値は正常なのに中性脂肪だけが極端に高い人もいる。
【０００４】
食生活の改善や運動で中性脂肪を減らす療法を行うのが普通出あるが、食事規制は難しくエネルギーを必要以上に取り、肥満と高脂血症が合併しやすくなる。そこで、痩せるための低カロリー食品としてのダイエット食品が数多く販売されている。ダイエット食品には生命に危険を及ぼすものもあり、また、長続きしないという欠点も見受けられる。
【０００５】
従来、植物繊維を粉末状にして食品に混入する場合においては、植物繊維の補給を目的としたもので、体内に入った油分や脂肪の除去効果を求めたものではない。カポック粉末は植物繊維の補給と共に、体内に入った油分や脂肪の除去効果があり、人間がカポック粉末を食する習慣はないが、動物の飼料にカポック粉末を混入することにより脂肪性状改善効果が上がることが確認されている。
【０００６】
【発明が解決しようとする課題】
牛、豚、羊などの獣脂、乳製品、卵などに多く含まれる飽和脂肪酸の取り過ぎは、悪玉コレステロールを増加させ、動脈硬化の原因となる。特に、アルコールを飲み過ぎると血中の中性脂肪などを増加させ、善玉コレステロールが低下することになる。さらに、アルコールを飲んでいるとき、飽和脂肪酸の採取過多になっている。従来の技術では、採取過多の飽和脂肪酸は体内に蓄積され、肥満や高脂血症となり、体内に蓄積しないで体外に排出することができない。
【０００７】
そこで、体内の余分な脂肪分を体内から排出できれば、ダイエット食品に頼らずに肥満解消と中性脂肪の正常化を図ることができることになる。
【０００８】
麻繊維や他のカポック以外の植物繊維を使用した場合、油分と水分の吸収を併せて行うことが確認されているので、吸油目的でカポック以外の植物繊維を使用することは適当でない。
【０００９】
【課題を解決するための手段】
本発明においては、植物繊維カポックを粉末にして、パン、クッキー等の洋菓子、ドラ焼き等の和菓子、その他の食品、カポック粉末を固めた錠剤等に加工して植物繊維カポックを採取しやすくしたものである。
【００１０】
カポックを食べても、カポックは油分を吸収するが水分を吸収しないため、体内の水分を除去することがなく体内の水分を保持することができる。即ち、食した食物の脂肪分が胃から腸を通過する際に、カポックの作用により油分だけをカポックに吸着させ胃腸に吸収させない効果がある。
【００１１】
食品添加物としてカポックの分析試験を財団法人日本食品分析センターへ依頼した結果は下記のとおりであった。
2005013186.tif 000003
以上のような検査結果は、カポックを食品混入物として使用する際の安全性を示している。
【００１２】
【発明の実施の形態】
本発明の実施の形態につき、実施例を図面を参照して説明する。
図１はフランスパンの中央部分を断面にした斜視図である。フランスパン１の外皮２の内側に植物繊維カポック粉末４が混入している状態を示している。カポック粉末４はパン粉３と一緒に練られている。フランスパン１の外皮２が固く焼かれる際に、外皮２に露出したカポック粉末４は焼けて無くなるが、外皮２に守られたフランスパン１の内部のカポック粉末４は焼けないで残存する。
【００１３】
パン食の際にカポック粉末４を無意識に採取するので、パンに付けたバターや食事の際に食べる肉類、揚げ物、油炒め、チーズ等の余分な油分だけをカポック粉末４に含浸させて体外に排出させることができる。
【００１４】
図２はクッキーの一部を断面にした斜視図である。クッキー５にカポック粉末４が混入している状態を示している。クッキー５のように菓子類にカポック粉末４を混入させて食べやすくしておくと、簡単にカポック粉末４を食べることになりカポック粉末４の採取量が増え、食べたカポック粉末４が体内の余分な脂肪分だけを除去するので高脂質の食品でも安心して食べることができるようになる。
【００１５】
図３はカポック粉末の錠剤の斜視図である。カポック粉末４を凝固して錠剤６とすることで、カポック粉末４を飲みやすくし、定期的に採取できる。カポック粉末４は粗くすることも細かくすることもでき、植物繊維を採取する役割も果たすことができる。
【００１６】
【発明の効果】
体内の余分な脂肪分だけ除去できる。
【００１７】
ダイエット効果がある。
【００１８】
高脂質の食品を安心して食べることができる。
【００１９】
脂肪分の取り過ぎを恐れることがなくなり、ストレスの解消になる。
【００２０】
植物繊維の採取に役立つ。
【図面の簡単な説明】
【図１】フランスパンの中央部分を断面にした斜視図である。
【図２】クッキーの一部を断面にした斜視図である。
【図３】カポック粉末の錠剤の斜視図である。
【符号の説明】
１  フランスパン
２  外皮
３  パン粉
４  カポック粉末
５  クッキー
６  錠剤
【図１】
2005013186.tif 000004
【図２】
2005013186.tif 000005
【図３】
2005013186.tif 000006
(57)【要約】【目的】従来と同じ草刈作業をするだけで、寄刈具と刈刃の間に刈った草がつまることなく、簡単に寄刈りができ、また、刈った草が、刈刃の回転軸へ巻きつくのを、なくせることによって、刈払機のクラッチの寿命を延ばし、作業能率をアップすることができる。そして、今まで無理であった、傾斜した土手などの刈上げと寄刈りを、同時に可能にした、刈払機用寄刈具に関するものである。【構成】寄刈り具の固定板（１）に回動板（２）を、連結ピン（５）をもって蝶着し、さらに、回動板（２）の回動角度を調整するための突起片（４）を、固定板（１）の裏側に溶着し、そして、刈払機のメインパイプに取付けるための取付金具（３）を、回動板（２）を蝶着した固定板（１）に、溶着することを特徴とする。【選択図】    図３
2005013188.tif 000002
【特許請求の範囲】
【請求項１】
寄刈具の固定板（１）に回動板（２）を、連結ピン（５）をもって蝶着し、さらに、回動板（２）の回動角度を調整するための突起片（４）を、固定板（１）の裏側に溶着し、そして、刈払機のメインパイプに取付けるための取付金具（３）を、固定板（１）に、溶着することを特徴とする。
【発明の詳細な説明】
【０００１】
【産業上の利用分野】
本発明は、刈払機で寄刈をする際、刈った草が、刈った後方へ飛び散るのを防止し、刈刃と寄刈具との間のつまりをなくし、また、刈刃の回転軸へ刈った草等の巻付きを、防止する機能を持たせた、刈払機用の寄刈具に関するものである。
【０００２】
【従来の技術】
従来、刈払機で寄刈をする際には、飛散防護カバーを刈刃に近かずけて、刈刃との隙間を小さくし、また、メインパイプに板や棒状のものを取付け、刈刃との隙間を小さくして作業をしていた。
【０００３】
【発明が解決しようとする課題】
しかし、従来のものにも、次のような欠点があった。
（イ）、刈刃との隙間が少なすぎると、すぐに、つまり易く、また、多すぎると、小さい草がその隙間から刈った後方へ、飛び散っていた。
（ロ）、従来の方法では、刈った草がつまり易く、刈払機のクラッチの耐久性を短くする原因となっていた。
（ハ）、作業中に、刈った草がつまった時は、その都度、刈払機のエンジンを停止して、これを取り除き、再始動しなくてはならず、たいへん面倒であった。
本発明は、これらの欠点を解決するためになされたものである。
【０００４】
【課題を解決するための手段】
寄刈具の固定板（１）に、回動板（２）を、連結ピン（５）をもって蝶着し、回動板（２）の回動角度を調整するための突起片（４）を、固定板（１）の裏側に溶着する。そして、固定板（１）に、刈払機のメインパイプに取付けるための取付金具（３）を、溶着する。
本発明は、以上の構成からなる刈払機用寄刈具である。
【０００５】
【発明の実施の形態】
以下、本発明の実施の形態について、説明する。
（イ）、寄刈具の固定板（１）に、回動板（２）を、連結ピン（５）を持って蝶着する。
（ロ）、回動板（２）の回動角度を調節するための突起片（４）を、固定板（１）の裏側に溶着する。
（ハ）、回動板（２）を取り付けた固定板（１）を、メインパイプに取付けるための取付金具（３）を、溶着する。
【０００６】
これを使用するとは、刈払機のメインパイプに、ボルトとナットを使い、刈刃と回動板（２）の隙間を５ｍｍ〜１０ｍｍ程度あけて固定すればよい。
【０００７】
本発明の実施の形態では、寄刈具の固定板（１）に、回動板（２）を連結ピン（５）を持って蝶着したが、連結ピン（５）の替わりに、ゴム等の弾力性のあるもので、蝶着してもよい。
【０００６】
【発明の効果】
従来と同じ草刈り作業をするだけで、刈取り中は、回動板（２）が閉じ、次の刈取開始時点への戻し移動中は、回動板（２）が開くため、たとえ、刈取り中に、刈刃と回動板（２）の間に刈った草がつまったとしても、その都度、取り除かれてしまうため、寄刈具と刈刃の間に刈った草がつまることなく、簡単に寄刈りができ、また、刈刃の回転軸への巻きつきを、防止することができることによって、作業能率のアップと労働力の軽減をはかることができる。そして、今まで無理であった、傾斜した土手などの刈上げと寄刈りを、同時に可能にした。
【図面の簡単な説明】
【図１】本発明の斜視図である
【図２】本発明の裏面図である。
【図３】本発明の使用状態を示す説明図である。
【符号の説明】
１  固定板
２  回動板
３  取付金具
４  突起片
５  連結ピン
【図１】
2005013188.tif 000003
【図２】
2005013188.tif 000004
【図３】
2005013188.tif 000005
(57)【要約】【課題】ルアーでの釣りの際、誰でも容易に水流を発生させ、魚に好奇心を持たせ、かつフックが障害物に接触しにくい安心して使用しうるルアーを提供することにある。【解決手段】本体１の開口部２に回転翼３を傾斜角を設けて取り付けることで動作姿勢が前傾となり、水流を発生させつつ、フックの障害物への接触を減らす。【選択図】    図１
2005013190.tif 000002
【特許請求の範囲】
【請求項１】
ルアー本体１の内部に開口部２を設け、その開口部内に回転翼３を取り付けたことを特徴とするルアー。
【請求項２】
本体１の開口部２に設けられた回転翼３がその本体１の頭部から尾部を結ぶ直線Ａに対して傾斜角Ｂをつけて取り付けられたことを特徴とする請求項１に記載のルアー。
【請求項３】
本体１及び回転翼３が硬質プラスチックあるいは金属により形成されている請求項１〜２に記載のルアー。
【発明の詳細な説明】
【０００１】
【発明の属する技術分野】
本発明は、海水・淡水に住む魚を対象にした釣り用ルアーに関するものである。
【０００２】
【従来の技術】
従来のルアーは、より良い成果を得るため、様々な工夫がなされており、一例として、ルアー尾部に回転ブレードを装着して、容易に水流を発生させるもの等があり、特別な技術を要しなくともその効果を得られることで知られている。
【０００３】
【発明が解決しようとする課題】
しかし、前記のルアーでは動作時の姿勢が水平状態であるため、水流により魚に好奇心を持たせることはできるが、腹部のフックが底の障害物に接触しやすくトラブルの原因となりやすい。
【０００４】
本発明の解決しようとする課題としては、容易に水流を発生させつつ、フックが障害物に接触しにくい安心して使用しうるルアーを提供することにある。
【０００５】
【課題を解決するための手段】
本体１に開口部２を設け、その開口部内に回転翼３を本体１の頭部から尾部への直線に対して傾斜角を設けて取り付け、動作時の姿勢が強制的に前傾になるようにした。
【０００６】
また、本体１及び回転翼３には硬質プラスチックあるいは金属をもって形成し、本発明ルアーの強度を確保する。
以上をもって、課題を解決するための手段とする。
【０００７】
【発明の実施の形態】
以下、本発明の実施の形態について、図面を参照して説明する。
本発明ルアーは、図１に示す通り、本体１及び回転翼３がシャフト４（図３参照）を介して、本体１の頭部から尾部を結ぶ直線に対して傾斜角４５°に取り付けられており、上部に釣糸を結ぶラインアイ５と魚を捕獲するフックを装着させるためのフックアイ６を有している。
【０００８】
本発明のルアーを動作させると、図４に示すように、回転翼が発生させる水流のためルアー本体が前傾し、試用の結果、障害物に対しフックの接触が著しく減らせることがわかった。
【０００９】
【発明の効果】
本発明のルアーは、動作する際に発生させる水流が魚の好奇心を刺激し、かつ障害物へのフックの接触を効率良く回避できるものである。
【図面の簡単な説明】
【図１】実施の形態を表す側面図である。
【図２】実施の形態を表す上面図である。
【図３】回転翼及び回転翼支軸の組み付け図である。
【図４】実施の形態における本発明ルアーの動作時の姿勢を表すものである。
【符号の説明】
１  ルアー本体
２  開口部
３  回転翼
４  回転翼支軸
５  釣り糸用アイ
６  フック用アイ
７  回転翼ストッパービーズ
８  回転翼支軸挿入口
９  釣り糸
Ａ  頭部から尾部を結ぶ直線
Ｂ  傾斜角
Ｃ  水流の方向
Ｄ  水面を表す線
【図１】
2005013190.tif 000003
【図２】
2005013190.tif 000004
【図３】
2005013190.tif 000005
【図４】
2005013190.tif 000006
(57)【要約】【課題】活さざえの身抜き調理の能率性。【解決手段】細い丸棒状の金属を軸として、先端に略楕円の箆状で、その箆状の円周部を刃物とし、細い丸棒状と略楕円の箆状の間を半鉤状にし、片端に柄を設けた半刃物具で単純な形状から成り、且、使い易い活さざえの身抜き具で能率性である。【選択図】          図１
2005013552.tif 000002
【特許請求の範囲】
【請求項１】
活さざえの身抜き具で、細い丸棒状の金属を軸として、先端に略楕円の箆状で、その箆状の円周部を刃物とし、細い丸棒状の金属の部と、略楕円の箆状部の間を半鉤状にし、片端に柄を設けた形状から成り、切る・掻き出しを兼ね備えた半刃物具で、形状を特徴とする活さざえの身抜き具。
【請求項２】
前記活さざえの身抜き具で、細い丸棒状の形状を軸として成る、形状を特徴とする活さざえの身抜き具。
【請求項３】
請求項１に記載した活さざえの身抜き具で、略楕円の箆状の円周部を刃物としての機能を特徴とする活さざえの身抜き具。
【請求項４】
上記活さざえの身抜き具で、略楕円の箆状部と細い丸棒状部の間を半鉤状とした形状を特徴とする活さざえの身抜き具。
【発明の詳細な説明】
【０００１】
【発明の属する技術分野】
本発明は、貝類の活さざえの調理に係る道具で、活さざえの殻を痛めず、中身を容易に取り出す器具に関するものである。
【０００２】
【従来の技術】
活さざえの生食料理を調理する際、中身を取り出す方法として、元来から石や金槌で直に殻をたたき割って、中身を取る方法が一般に用いられている。専門の料理人や調理の上手な人は、殻を割らずに貝柱の部分を、包丁の先端や金属製のスプーンの持ち手の先端、またアイスピック等尖った器具を用い、切り離し、中身を抜き出す方法で調理を行っているが、一般家庭では現在も殻を割って中身を取り調理を行っている。
【０００３】
【発明が解決しようとする課題】
魚貝類の生食文化は古くから伝えられ、日常の食生活には欠かす事のできない食べ物である。貝類の活さざえは殻が硬く生食料理を行う際、一般家庭では中身の取り出しに手が掛かり、手軽に調理しにくい点である。
【０００４】
また、活さざえを金槌等で割って中身を取り出す際、内臓の汁や殻の破片などがとび散り、調理の場所を選ぶ点である。
【０００５】
また、さざえの活き作り料理は、殻の使用も必要とするので殻を痛めない、中身の取り出しの点である。
【０００６】
また、活さざえを金槌等で割ると、身の中に殻の屑がささり、十分な水洗いが必要で手が掛かり、食味も下がる点である。
【０００７】
【課題を解決するための手段】
上記目的を達成するため、本発明は、活さざえの中身と殻を痛めず、簡単に調理ができる活さざえの身抜き具を提供する。
【０００８】
そして、本発明は、細い丸棒状の金属を軸として、先端に略楕円の箆状で、その箆状の円周部を刃物とし、丸棒状と箆状の間を半鉤状にし、片端に柄を設けた半刃物具で単純な形状から成り、且、使い易い活さざえの身抜き具を提供する。
【０００９】
また、本発明は、活さざえの殻とフタとの少ない隙間でも容易に貝柱を切り離し、中身を取り出し易い活さざえの身抜き具を提供する。
【００１０】
また、本発明は、手軽な器具で調理の際、場所の心配もなく手早く調理でき、仕上がり味もよく使い易い、活さざえの身抜き具を提供する。
【００１１】
【発明の実施の形態】
発明の実施の形態を実施例にもとづき図面を参照して説明する。図１において、柄１と細い丸棒状の金属の軸部２、それに略楕円の箆状部３、に略楕円の箆状円周部の刃４を施し、略楕円の箆状部と細い丸棒状部の間の半鉤状５から成る半刃物具の、活さざえの身抜き具である。
【００１２】
図２に示される、略楕円の箆状３と丸棒状２の間の半鉤状５の側面と曲がりを表す図である。
【００１３】
図３に示す、活さざえ図３は身抜き前の状態を表わし、フタＢと殻Ａの間の貝柱部Ｃが少し開いてから調理に入る。
【００１４】
図４に示される、活さざえ図３を片手で固定し貝柱部Ｃの部分に活さざえの身抜き具図１の、略楕円の箆状円周部の刃４を素早く差込柄１を左Ｆ右Ｅに少し動かしながら貝柱部Ｃの部分の切り離しを行う。
【００１５】
また、図５に示すように貝柱部分の切り離しと同時に活さざえの身抜き具図１を押し込みながら立て、左Ｆ右Ｅに回し内臓切りを行う。
【００１６】
そして、図６に示すように活さざえの身抜き具図１を引きあげ、中身部Ｄを取り調理を行う。
【００１７】
【発明の効果】
以上、説明した本発明の活さざえの身抜き具は、請求項１に掲げる細い丸棒状の金属を軸として、先端に略楕円の箆状の円周部を刃物とし、細い丸棒状と箆状部の間を半鉤状に形成し、片端に柄を設けた組み合わせの形状にする事により、活さざえの貝柱部の切り離しと同時に内臓を切り、中身を簡単に取り出せ、また、殻も全く痛めず活さざえの身抜き調理の能率性を上げることができる。
【００１８】
請求項２に掲げる、活さざえの身抜き具で、細い丸棒状の形状を軸として成る形状とする事により、活さざえの身抜き調理の過程で、身抜き具の略楕円の箆状の刃で貝柱部分を切り、そのまま身抜き具を中に立てながら左右に動かし差込み、その具を回し中身を引き抜くため、活さざえの身や殻を痛めず能率よく処理ができる。
【００１９】
請求項３に掲げる活さざえの身抜き具で、略楕円の箆状の円周部を刃物としての機能性をもつ事によって、活さざえの貝柱の切り離しや内臓の切り取りができ、これによって活さざえの中身を傷つけず、無駄なく処理ができる。
【００２０】
請求項４に掲げる活さざえの身抜き具で、略楕円の箆状部と細い丸棒状部の間を半鉤状とした形状とする事によって、活さざえの貝柱部分の身の切り離しの際、貝柱の部分の身を殻に残さない処理ができ、また、中身を傷めず殻の内面にそって内臓部まで侵入しやすく、中身の引き抜きも簡単にできる機能である。
【図面の簡単な説明】
【図１】本発明の、活さざえの身抜き具の斜視図である。
【図２】本発明の、活さざえの身抜き具の斜視図で、３、４、５、の側面を示す図である。
【図３】活さざえの斜視図である。
【図４】本発明の活さざえの身抜き具を使用して、活さざえの貝柱部分の切り離しを示す、実施例の斜視図である。
【図５】本発明の活さざえの身抜き具を使用して、活さざえの内臓の切り離しを示す、実施例の斜視図である。
【図６】本発明の、活さざえの身抜き具を使用して、活さざえの中身抜きを示す、実施例の斜視図である。
【符号の説明】
１  柄
２  細い丸棒状の金属の軸
３  略楕円の箆状部
４  略楕円の箆状円周部の刃
５  略楕円の箆状部と丸棒状部の間の半鉤状
Ａ  殻
Ｂ  フタ
Ｃ  貝柱部
Ｄ  中身部
Ｅ  右回を示す
Ｆ  左回を示す
Ｇ  引き抜きを示す
【図１】
2005013552.tif 000003
【図２】
2005013552.tif 000004
【図３】
2005013552.tif 000005
【図４】
2005013552.tif 000006
【図５】
2005013552.tif 000007
【図６】
2005013552.tif 000008
(57)【要約】【課題】まな板は常に細菌が付着するため除菌をこまめにしなければならない。【解決手段】まな板を使用した後は水で簡単に流し、吊り穴をフックに掛け水を切って２，３日使う事もでき、常に衛生的なまな板を使用できる。なお、生鮮物（肉、魚）と野菜等との使い分けをすることで一層衛生的なまな板を使用することが出来る。使用する時は平らな場所にまな板を置き、ミシン目を折り曲げ少しまわりを立ち上げることでキュウリの輪切り等及び切った野菜がまな板から落ちることなく、さらに筒状に左右を中心に寄せることで食材を確実に鍋、皿等に一度に入れスピーディーに料理が出来、簡単である。このまな板を使用することで衛生的、能率的にも良く安心して作業ができる。又、夏のアウトドアグッズ等の目的に応じ軽くて持ち運びにも大変便利が良く使用できる。【選択図】    図１
2005013294.tif 000002
【特許請求の範囲】
【請求項１】
パルプ紙の表面を撥水処理（プラスチックフィルムをラミネート）したもので汚れたら燃えるごみに簡単に処理出来ることで常に衛生的なまな板を使用できる
【請求項２】
きゅうり等、円形断面の野菜は、まな板の周辺部を皿状に折り曲げて使用することにより、まな板から落ちることがなく、また、筒状に折り曲げることにより、切った食材を確実に鍋、皿等に入れることができる
【請求項３】
隅の一箇所に吊りかける穴を設けておき、洗った後に乾燥させ数回使用できる
【発明の詳細な説明】
【０００１】
【発明が属する技術分野】
本発明は、使い捨てできることにより、常に衛生的なまな板を使用することができる
【０００２】
【従来の技術】
常に衛生的なまな板を使用するには、漂白、除菌をこまめにしなければいけなかった。
【０００３】
【発明が解決しようとする課題】
解決しようとする問題点は、まな板の衛生面である。
【０００４】
【課題を解決するための手段】
汚れたら、捨てることにより、常に衛生的なまな板を使用できる。
【０００５】
【発明の実施の形態】
まな板は、常に細菌が付着するため、除菌をこまめにしなければいけない。しかし、使い捨てで切ることにより、衛生的なまな板を使用できることを実現した。さらに、まな板を折り曲げることにより、食材をこぼさず、なおかつ、鍋等に入れることを実現した。
【０００６】
【実施例】
図１は、本発明のまな板である。
【０００７】
【発明の効果】
以上説明したように、台所だけでなく、アウトドア等、いろいろな場面で使用できる。
【図面の簡単な説明】
【図１】まな板の実施方法を示した説明図である。
【図２】まな板のミシン目を折り曲げた状態の説明図である。
【図３】まな板を筒状に折り曲げた状態の説明図である。
【符号の説明】
１  ミシン目を入れ、折り曲げ可能。
２  吊りかけ用の穴。
【図１】
2005013294.tif 000003
【図２】
2005013294.tif 000004
【図３】
2005013294.tif 000005
(57)【要約】【課題】従来の巻き爪の表面に適度の復元力を持った小片を貼るようにした巻き爪修正具は大きな効果が得られなかった。【解決手段】本発明の巻き爪修正方法は、巻き爪を有する指の上面に被着される板と、この板の一辺に形成された、互いに平行する直線状の両側を有する切り溝とより成る巻き爪修正補助具を、巻き爪を有する指の上面に上記切り溝の底面が上記巻き爪の爪先に位置されるよう重ねる工程と、巻き爪とこの巻き爪の先端に連なる上記修正補助具部分上に時間がたつにつれて硬化する樹脂液を塗布する工程と、上記修正補助具上に形成された硬化塗膜部分に力を加えて略平らにする工程とより成る。本発明の巻き爪修正具は、巻き爪を有する指の上面に被着される板と、この板の正面側の一辺に形成された互いに平行する直線状の両側を有する切り溝とより成る。【選択図】  図２
2005013297.tif 000002
【特許請求の範囲】
【請求項１】
巻き爪を有する指の上面に被着される板とこの板の一辺に形成された，互いに平行する直線状の両側を有する切り溝とより成る巻き爪修正補助具を、巻き爪を有する指の上面に上記切り溝の底辺が上記巻き爪の爪先に位置されるよう重ねる工程と、
巻き爪とこの巻き爪の爪先に連なる上記修正補助具部分上に時間がたつにつれて硬化する樹脂液を塗布する工程と、
上記修正補助具部分上に形成された硬化塗膜部分に力を加えて略平らにする工程と
より成ることを特徴とする巻き爪修正方法。
【請求項２】
巻き爪を有する指の上面に被着される板と、この板の一辺に形成された互いに平行する直線状の両側を有する切り溝とより成ることを特徴とする巻き爪修正補助具。
【発明の詳細な説明】
【０００１】
【発明の属する技術分野】
本発明は巻き爪修正方法及び巻き爪修正補助具、特に、足の爪に用いる巻き爪修正方法及び巻き爪修正補助具に関するものである。
【０００２】
図５に示すように巻き爪に陥った指１の爪２はその先端部両側３が湾曲して皮下にくい込み、鎖線に示す正常な場合に比べ両側が斜めになり幅が次第に狭くなっている。
【０００３】
この皮下にくい込んでいる部分の爪を取り除くには困難であり、外科的に手術をしなければならないことが多い。
【０００４】
【従来の技術】
指、特に、足指の巻き爪を手術ではなく徐々に修正するため巻き爪の表面に貼るようにした適度の復元力を持った小片より成る巻き爪修正具は既知である。（特許文献１）。
【０００５】
【特許文献１】
特願２００１−３７５３５号公報（第２頁、図２）。
【０００６】
【発明が解決しようとする課題】
然しながら上記のような従来巻き爪修正具では大きな効果が得られなかった。本発明はこのような欠点を除くようにしたものである。
【０００７】
【課題を解決するための手段】
本発明の巻き爪修正方法は、巻き爪を有する指の上面に被着される板とこの板の一辺に形成された，互いに平行する直線状の両側を有する切り溝とより成る巻き爪修正補助具を、巻き爪を有する指の上面に上記切り溝の底辺が上記巻き爪の爪先に位置されるよう重ねる工程と、巻き爪とこの巻き爪の爪先に連なる上記修正補助具部分上に時間がたつにつれて硬化する樹脂液を塗布する工程と、上記修正補助具部分上に形成された硬化塗膜部分に力を加えて略平らにする工程とより成ることを特徴とする。
【０００８】
本発明の巻き爪修正補助具は、巻き爪を有する指の上面に被着される板と、この板の一辺に形成された互いに平行する直線状の両側を有する切り溝とより成ることを特徴とする。
【０００９】
【発明の実施の形態】
以下図面によって本発明の実施例を説明する。
【００１０】
本発明においては図１に示すように表面が平滑で裏面が粘着性の例えば四辺形の紙等の薄板４の正面側の辺５に互いに平行する直線状の両側６を有する、巻き爪の幅と長さに対応する幅及び深さの切り溝７を形成した修正補助具８を用い、この修正補助具８を図２に示すように例えば足の指１の巻き爪２上にその切り溝７の底辺９が巻き爪２の爪先に位置するように当て、上記切り溝７の底辺９を巻き爪２の爪先と指１の皮膚との間に挿入して固定し、上記切り溝７によって区劃された上記薄板４の両袖辺１０を指１の側面に折り曲げ貼布する。
【００１１】
次いで指１の巻き爪２の露出された上面と、上記修正補助具８の上記切り溝７の底辺９に連なる部分１１の上面に時間と共に硬化する、従来人工爪の材料として用いられている例えばアクリル等の樹脂液を塗布し、その塗膜が完全に硬化する前に上記修正補助具８を指１、巻き爪２上の塗膜１２及び修正補助具８上に形成された塗膜１３から引き外す。このとき巻き爪２上に塗布形成された樹脂の塗膜１２の両側部分は巻き爪両側部分に被着され、且つ上記薄板４の溝７の両側６に合致して直線状となっている。次いで上記塗膜１２及び１３が略硬化された状態で上記巻き爪２から前方に延長され、巻き爪２と同様に湾曲している塗膜１３にその湾曲を水平に押し戻す力を加える。
【００１２】
この結果、上記巻き爪２上及びその両側面に被着固定されている塗膜部分も一体に水平に押し上げられるようになり、皮膚にくい込んでいる巻き爪２の先端部両側３部分が皮膚から離れ、図５に鎖線で示すような正常の状態となる。従ってこの状態を例えば１分間維持して塗膜１３を完全に硬化した後加えた力を除去する。この場合巻き爪２は略正常な形を維持したままとなる。
【００１３】
従ってこの後は上記塗膜１３を電動やすり等で削り取れば図４に示すような修正された爪を有する指となる。
【００１４】
図４から明らかなように巻き爪２の両側部分は修正されて爪２上の塗膜１２の両側面に合致する直線状のネイルグルーブとなり、以後爪２はこの直線状のネイルグルーブに沿って伸長形成され、再び巻き爪となることはない。
【００１５】
なお、上記修正補助具８は指１から除去することなく上記塗膜１２，１３が硬化した後上記電動やすり使用の際に共に除去するようにしても良い。また、上記修正補助具８は四辺形状のみならず楕円形状としても良く、また、切り溝７の底辺９は直線状ではなく爪先に合致した弧状としても良い。更に、修正補助具８の両袖辺１０の長さは短くても良い。
【００１６】
【発明の効果】
上記のように本発明の巻き爪修正方法及び巻き爪修正補助具によれば極めて簡単容易に巻き爪を正常な形に修正できる大きな利益がある。
【図面の簡単な説明】
【図１】本発明の修正補助具の平面図である。
【図２】上記修正補助具を巻き爪上に記載した本発明方法の説明図である。
【図３】上記修正補助具を除去した状態の指と塗膜の平面図である。
【図４】本発明によって修正された爪の平面図である。
【図５】巻き爪説明用の平面図である。
【符号の説明】
１  指
２  爪
３  先端部両側
４  薄板
５  辺
６  両側
７  切り溝
８  修正補助具
９  底辺
１０  両袖辺
１１  部分
１２  塗膜
１３  塗膜
【図１】
2005013297.tif 000003
【図２】
2005013297.tif 000004
【図３】
2005013297.tif 000005
【図４】
2005013297.tif 000006
【図５】
2005013297.tif 000007
(57)【要約】【課題】Ｕ状の泡立て線材を先端部分で交差し、全体を電球形状としている泡立て器の種々の問題（線材囲繞空間への攪拌対象物の滞留、線材への攪拌対象物の付着、攪拌範囲の調整、バットでの攪拌不能）を解決する器具を提供する。【解決手段】所定の弾性を具備して先部で折り返した複数本の泡立て線材２を、隣接線材と交差することなく円形上に配置して適宜な把手１に装着すると共に、先部方を外周方向に開拡し、各線材を横断する箇所に配置して線材をスライド自在に貫通した開拡制御板３を付設してなり、更に泡立て線材の折り返し先部を、コの字状に折曲すると共に、先端部全周を中心方向に窄めてなる。【選択図】    図１
2005013249.tif 000002
【特許請求の範囲】
【請求項１】
所定の弾性を具備して先部で折り返した複数本の泡立て線材を、隣接線材と交差することなく円形状に配置して適宜な把手に装着すると共に、先部側を外周方向に開拡し、各線材を横断する箇所に配置して線材をスライド自在に貫通させた開拡制御板を付設してなることを特徴とする泡立て器。
【請求項２】
泡立て線材の折り返し先部を、コの字状に折曲すると共に、先端部全周を中心方向に窄めてなる請求項１記載の泡立て器。
【発明の詳細な説明】
【０００１】
【産業上の利用分野】
本発明は、調理に使用する手動の泡立て器に関するものである。
【０００２】
【従来の技術】
従前から広く使用されている手動の泡立て器は、Ｕ状の泡立て線材を先端部分で交差し、全体を電球形状としているものである。更にこの電球形状の空間内に攪拌補助用の小球状部材を収納している器具も知られている。
【０００３】
また特殊形状の泡立て器としては、線材先端が一平面上に並列する形状にして、バットでの攪拌を可能としている器具（特許文献１）や、攪拌終了後の攪拌対象物の遠心力解除による中心方向への戻りによって、泡立て線材の交差部分に攪拌対象物が付着するという問題解消のために、Ｕ状の線材を放射状に配置した器具（特許文献２）が提案されている。
【０００４】
更にメレンゲ等の作成時に攪拌範囲を拡張できるように、泡立て線材の各半分を、それぞれ長手方向に沿って二分割されていて各半部が互いに枢着された柄に装着し、柄の開閉によって攪拌範囲を切り替える器具も提案されている（特許文献３）。
【０００５】
【特許文献１】
特開平６−１４８４３号公報。
【特許文献２】
実開平６−２６７４７号公報。
【特許文献３】
実開平５−８８４５７号公報。
【０００６】
【発明が解決しようとする課題】
前記した従前の泡立て線材を交差させて電球形状にした器具は、交差部分への攪拌対象物の付着、線材に囲まれた空間内での攪拌対象物の非攪拌状態の滞留、バットでの攪拌作業の不可、攪拌範囲の変更ができないなどの問題があった。そしてこれらの各問題点に対しては、前記のとおり問題点毎に解決した器具は提案されているが、一挙に全ての課題を解決した器具は提案されていない。
【０００７】
そこで本発明は、その全ての課題を解決できる新規な器具を提案したものである。
【０００８】
【課題を解決する手段】
本発明に係る泡立て器は、所定の弾性を具備して先部で折り返した複数本の泡立て線材を、隣接線材と交差することなく円形状に配置して適宜な把手に装着すると共に、先部側を外周方向に開拡し、各線材を横断する箇所に配置して線材をスライド自在に貫通させた開拡制御板を付設してなることを特徴とするものである。
【０００９】
従って泡立て線材が交差しておらず、泡立て線材で囲まれた空間は下方が開口しているので、線材に囲まれた空間内での攪拌対象物の非攪拌状態の滞留が生じなく、攪拌終了後の攪拌対象物の遠心力解除による中心方向への戻りによる、線材交差部分への攪拌対象物の付着という問題も生じない。また開拡制御板を上下方向に移動させることで、線材の開拡程度が調整されることになり、攪拌範囲を変更することができる。
【００１０】
また本発明は、更に泡立て線材の折り返し先部を、コの字状に折曲すると共に、先端部全周を中心方向に窄めてなるもので、折り返し先部が一平面上に配置されることになるので、バットに収納した攪拌対象物の攪拌も容易に実施することができる。
【００１１】
【実施の形態】
次に本発明の実施の形態について説明する。実施形態の泡立て器は、基本的には従前と同様に把手１に泡立て線材２を装着してなるものである。
【００１２】
特に泡立て線材２は、折り返し先部をコの字状に折曲し、先部の折曲辺２１が同一平面上に位置すると共に、隣接線材と交差することなく円形状に配置して、立て線材２２の基部を把手１に装着してなる。
【００１３】
また泡立て線材２は、円形状に配置した際に、先部方を外周方向に開拡し、開拡した先端部を更に中心方向に窄めて、更に立て線材２２を横断する箇所において、立て線材２２を貫通させてスライド自在に設けた開拡制御板３を付設してなる。
【００１４】
而して前記泡立て器は、図３，４に例示するとおり、開拡制御板３は、泡立て線材２の弾性力によって、開拡制御板３の透孔と線材との摩擦抵抗が生じ、当該位置に停止しているものである。このため開拡制御板３を上下スライドさせると線材先部の開拡程度の調整がなされるものである。
【００１５】
また泡立て線材２で囲まれる空間は下方部分（先端部分）で開口していることになるので、例えば小麦粉を溶く場合には、従前の器具ではダマとなった小麦粉の固まりが線材に囲まれた空間に入り込んで適正な攪拌がなされない等、攪拌対象物が線材囲繞空間に残ることがなく適切な攪拌がなされる。
【００１６】
更に先端折曲辺２１が同一平面上に配置されることになるので、バットを使用した場合でも容易に攪拌を実施できるものである。
【００１７】
【発明の効果】
以上のように本発明は、所定の弾性を具備して先部で折り返した複数本の泡立て線材を、隣接線材と交差することなく円形状に配置して適宜な把手に装着すると共に、先部側を外周方向に開拡し、各線材を横断する箇所に配置して線材をスライド自在に貫通させた開拡制御板を付設してなる泡立て器で、線材囲繞空間の下方が開口しているため、当該空間内への攪拌対象物の非攪拌状態の滞留が生じなく、且つ線材交差部分への攪拌対象物の付着という問題も生じないし、更に開拡制御板の上下方向移動で泡立て線材の開拡程度が調整できるものである。
【００１８】
更に泡立て線材の折り返し先部を、コの字状に折曲すると共に、先端部全周を中心方向に窄めてなるもので、折り返し先部を一平面上に配置することでバットによる攪拌作業も容易に実施することができたものである。
【図面の簡単な説明】
【図１】本発明の実施形態の全体斜視図。
【図２】同要部斜視図。
【図３】同線材の開拡調整の説明図（正面図）。
【図４】同線材の開拡調整の説明図（拡大図）。
【符号の説明】
１        把手
２        泡立て線材
２１      折曲辺
２２      立て線材
３        開拡制御板
【図１】
2005013249.tif 000003
【図２】
2005013249.tif 000004
【図３】
2005013249.tif 000005
【図４】
2005013249.tif 000006
(57)【要約】【課題】動力を使わないで、槽（７）内の下部に溜まっている水又は液体を抽出できるようにする。更に、放置した状態でも、槽（７）内の水位を一定量に保った状態で維持できるようにする。【解決手段】上部吸込口（１）から下部吸込接続部（４）との間の水の層の水圧で、下部吸込口（２）より下部吸込接続部（４）を経由して、下部吸込接続部（４）へ水又は液体が押し出され、結果的に下部の水又は液体だけが排水タンク（５）に運ばれる。【選択図】図１
2005013204.tif 000002
【特許請求の範囲】
【請求項１】
槽（７）内の下部の水を、上部吸込口（１）から下部吸込接続部（４）との間の水の位置エネルギーによる圧力で、下部吸込口（２）に吸い込み排水タンク（５）に取り込む装置である。
【発明の詳細な説明】
【発明の属する技術分野】
【０００１】
本発明は、槽（７）内に溜まった水又は液体を分離抽出する技術に関する。
【従来の技術】
【０００２】
従来の装置は、ポンプなどの動力を利用して下部の水又は液体を抽出していた。
【０００３】
この場合、長時間放置しておくと槽（７）内の水又は液体を全て抽出してしまうことがある。
【０００４】
また、複雑な構造で故障率も高い、さらに、電源も必要となる。
【０００５】
【発明が解決しようとする課題】
【０００６】
動力を使わないで、槽（７）内の下部に溜まっている水又は液体を抽出できるようにする。
【０００７】
更に、放置した状態でも、槽（７）内の水位を一定量に保った状態で維持できるようにする。
【０００８】
また、構造を単純にして、材質も選ばない構造にし、製作の費用を安価にできるようにする。
【課題を解決するための手段】
【０００９】
請求項１の発明は、槽（７）内に、水又は液体を注入する事で、上部吸込口（１）から下部吸込接続部（４）との間の水の層の水圧で、下部吸込口（２）より下部吸込接続部（４）を経由して、下部吸込接続部（４）へ水又は液体が押し出され、結果的に下部の水又は液体だけが排水タンク（５）に運ばれる。
【００１０】
槽（７）内の水位は、下部吸込接続部（４）より上にある水又は液体の位置エネルギーによる圧力で、水又は液体を押し出しているため、注入を止めても、下部吸込接続部（４）までの水位が保障される。
【００１１】
注入する水又は液体の量が、下部吸収の量より多い場合は、上部吸込口（１）まで水位が上がり、上部吸込口（１）に吸い込まれる。
【００１２】
構造は、管の組合せだけなので、非常にシンプルであり、管の形状も、基本的には問わない。
【００１３】
また、材質についても、構造が単純なため加工しやすいため、液体に影響されない材質を利用することが可能となる。
【００１４】
排水タンク（５）を、上部吸込口（１）の排水タンク（５）と、下部吸込口（２）の排水タンク（５）に、分けることで、上部と下部の水又は液体に分離することが可能となる。
【００１５】
また、排出路（６）を設けずに、排水タンク（５）に溜まった水又は液体をポンプなどで循環する事も可能である。
【発明の実施の形態】
【００１６】
この装置は、水又は液体を溜める槽（７）に、槽（７）の高さより低い排水タンク（５）を設置する。
【００１７】
排水タンク（５）の横に、下部吸込路（３）を接続する。
【００１８】
接続する位置は、槽（７）内に溜める最低の水位となる高さに接続する。
【００１９】
後は、排水タンク（５）に溜まった水又は液体を排出する場合は、排出路（６）を排水タンク（５）に接続して、排水する。
【発明の効果】
【００２０】
本発明は以上に説明したような構成により次のような効果を奏する。
【００２１】
水槽（７）の下に沈んでいる汚物などを、吸い取ることが出来る。
【００２２】
魚などを飼育している水槽（７）に利用した場合、スクリューなどを利用していない為、魚が吸い込まれても、魚に傷をつけることが無い為、安心して利用できる。
【００２３】
また、浴槽（７）などに利用すると、上部の熱いお湯と、下部の温いお湯を排水タンク（５）で合わせて循環させることで、温度のムラを無くすことができる。
【００２４】
他に、質量の異なる混合した液体を、重い物質と軽い物質とに分離することもできる。
【図面の簡単な説明】
【図１】本発明の斜視図である。
【図２】本発明の縦断面図である。
【符号の説明】
１  上部吸込口
２  下部吸込口
３  下部吸込路
４  下部吸込接続部
５  排水タンク
６  排出路
７  槽
【図１】
2005013204.tif 000003
【図２】
2005013204.tif 000004